(57)【要約】【課題】送信元と送信先の機器との間で、画像送信に失敗せずに優れた画像送信性能が得られ、送信先の機器内で確実に画像処理ができ、良好な画像送信特性を実現できる静止画伝送装置を提供する。【解決手段】有線伝送路１７を通じて接続された他の機器に静止画像を送信する際には、上位アプリ１４の指示に従って、機器情報処理部１５により送信先の機器が処理可能な画像フォーマットを予め確認した後に、その画像ファイルを、ファイルシステム１２によりファイル蓄積部１１から選択して、ファイル処理部１３がインターフェース部１６から有線伝送路１７を通じて送信することにより、他の機器との高い相互接続性を確保し、画像送信ミスを回避する。【選択図】    図１
2004193693.tif 000002
【特許請求の範囲】
【請求項１】
上位アプリからの指示に従って、ファイルシステムを介してファイル蓄積部に蓄積された画像ファイルを選択し、その選択画像ファイルを、ファイル処理部により、インターフェース部および有線伝送路を介して、送信先である他の機器に伝送する静止画伝送装置において、前記ファイル処理部に、前記送信先機器からの情報を処理する機器情報処理部を設け、前記ファイル処理部を、前記機器情報処理部により、前記有線伝送路および前記インターフェース部を通じて、前記送信先機器から、その処理可能な画像ファイル情報を予め取り込むよう構成し、前記上位アプリからの指示に従って、前記選択画像ファイルの前記送信先機器への伝送時に、前記機器情報処理部により、前記送信先機器の処理可能な画像ファイル情報を解読し、前記ファイルシステムにより、前記ファイル蓄積部に蓄積されている画像ファイルから、前記画像ファイル情報に合致する画像ファイルを選択し、前記選択画像ファイルとして前記ファイル処理部へ転送するよう構成したことを特徴とする静止画伝送装置。
【請求項２】
送信先機器との間で情報を伝送するための信号媒体として無線信号を用いる無線伝送路と、前記情報について装置内の信号形態と前記無線伝送路上の無線信号とを相互に変換する無線インターフェース部と、前記インターフェース部と前記無線インターフェース部とを切り換えて前記ファイル処理部に接続するスイッチとを設けたことを特徴とする請求項１に記載の静止画伝送装置。
【請求項３】
インターフェース部は、送信先機器との間で情報を伝送するための信号媒体を赤外線とするため、前記情報について装置内の信号形態と前記赤外線とを相互に変換するよう構成したことを特徴とする請求項１に記載の静止画伝送装置。
【請求項４】
伝送路として赤外線を伝送する光ファイバを用いて構成したことを特徴とする請求項３に記載の静止画伝送装置。
【発明の詳細な説明】
【０００１】
【発明の属する技術分野】
本発明は、伝送路を通じて接続された他の機器に静止画像を伝送する静止画伝送装置に関するものである。
【０００２】
【従来の技術】
近年では、ハードディスクやカード型メモリ等の情報記録媒体の大容量化および低価格化が急激に進み、これらの情報記録媒体が、画像ファイル等の大容量の情報ファイルを蓄積するために、広く利用されるようになってきた。
【０００３】
それに伴って、例えば、デジタルカメラなどのように、撮像した静止画像をカード型メモリに記録する画像記録装置を送信元の機器として、伝送路を通じて接続された送信先の他の機器であるパソコンに搭載されたハードディスクドライブ等の大容量の情報記録装置との間で、画像記録装置から情報記録装置に静止画像を伝送して転送する機会が増えてきている。
【０００４】
その際に、画像記録装置から情報記録装置に静止画像を伝送するために、画像記録装置および情報記録装置のそれぞれには、通常、画像記録装置に蓄積した静止画像ファイルを、伝送路を通じて、情報記録装置内のハードディスク等の記録媒体に伝送して蓄積する静止画伝送装置が搭載されている。
【０００５】
以上のような従来の静止画伝送装置について、以下に説明する。
図２は従来の静止画伝送装置の構成例を示すブロック図である。図２において、２０は例えばデジタルカメラ等の画像記録装置に搭載された静止画伝送装置、２１はファイル蓄積部、２２はファイルシステム、２３はファイル処理部、２４は上位アプリ、２５はインターフェース部、２６は有線伝送路である。
【０００６】
以上の構成要素からなる静止画伝送装置が画像記録装置内に搭載され、この静止画伝送装置２０において、上位アプリ２４は、ファイル蓄積部２１の中の所望の画像ファイルを、ファイルシステム２２を介して選択する。次に選択された画像ファイルは、ファイル処理部２３を介して、インターフェース部２５に送られる。更に有線伝送路２６を介して、通信先の他の機器である情報記録装置へ送信される。
【０００７】
このようにして、画像記録装置から情報記録装置に対して、有線伝送路２６を介して、静止画像の画像ファイルが伝送され、情報記録装置内の例えばハードディスク等の記録媒体に蓄積される。
【０００８】
【特許文献１】
特開２００２−２２３３８５号公報
【０００９】
【発明が解決しようとする課題】
しかしながら上記のような従来の静止画伝送装置では、例えば、送信先の機器が処理可能な画素数と送信元の画像ファイルの画素数が異なることがあり、前述とは反対に、前者が後者より少ない場合には、送信元での画像ファイルの分割処理等の画像処理および全画像ファイルの分割送信処理に時間がかかり、送信元からの画像ファイルの送信処理が、送信先の機器での受信処理の規定処理時間内に完了することができず、送信元に未送信の画素が残ってしまい、送信元から送信先の機器への画像送信に失敗する場合があるという問題点を有していた。
【００１０】
また、送信先の機器が処理可能な画像フォーマットと送信元の画像ファイルの画像フォーマットが異なる場合には、例えば、送信元から画像ファイルが送信先の機器へ送信できたとしても、送信元の画像フォーマットが送信先の機器での処理可能な画像フォーマットに対応しないため、送信元の画像ファイルに対して画像処理できないことがあり、この場合には、結果的に画像送信に失敗することになるという問題点も有していた。
【００１１】
本発明は、上記従来の問題点を解決するもので、伝送路を通じて接続されている送信元と送信先の機器との間で、送信元から送信先の機器への画像送信に失敗することがなく優れた画像送信性能を得ることができるとともに、送信先の機器内で画像ファイルに対して確実に画像処理することができ、良好な画像送信特性を実現することができる静止画伝送装置を提供する。
【００１２】
【課題を解決するための手段】
上記の課題を解決するために、本発明の請求項１に記載の静止画伝送装置は、上位アプリからの指示に従って、ファイルシステムを介してファイル蓄積部に蓄積された画像ファイルを選択し、その選択画像ファイルを、ファイル処理部により、インターフェース部および有線伝送路を介して、送信先である他の機器に伝送する静止画伝送装置において、前記ファイル処理部に、前記送信先機器からの情報を処理する機器情報処理部を設け、前記ファイル処理部を、前記機器情報処理部により、前記有線伝送路および前記インターフェース部を通じて、前記送信先機器から、その処理可能な画像ファイル情報を予め取り込むよう構成し、前記上位アプリからの指示に従って、前記選択画像ファイルの前記送信先機器への伝送時に、前記機器情報処理部により、前記送信先機器の処理可能な画像ファイル情報を解読し、前記ファイルシステムにより、前記ファイル蓄積部に蓄積されている画像ファイルから、前記画像ファイル情報に合致する画像ファイルを選択し、前記選択画像ファイルとして前記ファイル処理部へ転送するよう構成したことを特徴とする。
【００１３】
また、本発明の請求項２に記載の静止画伝送装置は、請求項１に記載の静止画伝送装置であって、送信先機器との間で情報を伝送するための信号媒体として無線信号を用いる無線伝送路と、前記情報について装置内の信号形態と前記無線伝送路上の無線信号とを相互に変換する無線インターフェース部と、前記インターフェース部と前記無線インターフェース部とを切り換えて前記ファイル処理部に接続するスイッチとを設けた構成としたことを特徴とする。
【００１４】
また、本発明の請求項３に記載の静止画伝送装置は、請求項１に記載の静止画伝送装置であって、インターフェース部は、送信先機器との間で情報を伝送するための信号媒体を赤外線とするため、前記情報について装置内の信号形態と前記赤外線とを相互に変換するよう構成したことを特徴とする。
【００１５】
また、本発明の請求項４に記載の静止画伝送装置は、請求項３に記載の静止画伝送装置であって、伝送路として赤外線を伝送する光ファイバを用いて構成したことを特徴とする。
【００１６】
以上により、伝送路を通じて接続されている送信元から送信先の機器へ画像ファイルを送信する場合には、それらの間で、送信先の機器が処理可能な画像ファイルのタイプを確認して送信することにより、画像送信ミスを回避することができる。
【００１７】
【発明の実施の形態】
以下、本発明の実施の形態を示す静止画伝送装置について、図面を参照しながら具体的に説明する。
【００１８】
図１は本実施の形態の静止画伝送装置の一構成例を示すブロック図である。図１において、静止画伝送装置１０は、上位アプリ１４と、ファイルシステム１２と、ファイル蓄積部１１と、機器情報処理部１５を含むファイル処理部１３と、インターフェース部１６と、伝送路１７とで構成される。ここでは、伝送路１７として、例えば、シリアル伝送路であるＲＳ−２３２Ｃに代表される有線伝送路を用いている。
【００１９】
上記の上位アプリ１４の指示に従って、ファイル蓄積部１１に蓄積された画像ファイルを、有線伝送路１７を介して送信先の機器へ転送する。また、ファイル処理部１３は、上位アプリ１４の指示に従って、インターフェース部１６と有線伝送路１７を介して、送信先機器から、予め、送信先機器の処理可能な画像ファイル情報を取り込む。この画像ファイル情報としては、「圧縮方法として例えばＪＰＥＧを利用しており、画像サイズが例えば６４０×４８０画素である」といった情報を含んでいる。
【００２０】
上記のように構成された静止画伝送装置１０において、上位アプリ１４からの指示に従って、ファイル処理部１３に含まれる機器情報処理部１５にて、ファイル処理部１３がインターフェース部１６と有線伝送路１７を介して取り込んだ当該送信先機器の処理可能な画像ファイル情報が解読される。解読された画像ファイル情報は、ファイル処理部１３により上位アプリ１４に転送される。
【００２１】
上位アプリ１４は、当該送信先機器の処理可能な画像ファイル情報に合致する画像ファイル情報を有するファイルを、ファイルシステム１２を介して、ファイル蓄積部１１に蓄積されている画像ファイルの中から選択する。
【００２２】
このようにして選択された画像ファイルは、さらに上位アプリ１４からの指示に従って、ファイルシステム１２を経てファイル処理部１３へ転送される。
次に、ファイル処理部１３から、インターフェース部１６と有線伝送路１７を介して、送信先の機器へ送信される。この結果、送信先の機器は、自らが処理可能な画像ファイルを獲得することができるため、静止画伝送装置１０と送信先の機器との間で、画像ファイル転送のための確実で良好な通信を確保することができる。
【００２３】
図３は本実施の形態の静止画伝送装置を送信元として送信先の機器との接続を示すブロック図である。図３に示すように、送信先の機器７０においても、送信元の静止画伝送装置１０と同様の構成をとるのが望ましく、動作についても、図１を用いて説明した静止画伝送装置１０と同様に動作することができる。
【００２４】
そのため、例えば、機器７０を送信元とし静止画伝送装置１０を送信先として、機器７０からその画像ファイルを、静止画伝送装置１０に対して伝送することができ、図１で説明した動作と同様に、機器７０のファイル蓄積部１１に蓄積された画像ファイルのうち、送信先となっている静止画伝送装置１０が処理可能な画像ファイルを、有線伝送路１７を通じて、静止画伝送装置１０のファイル蓄積部１１に転送することができる。
【００２５】
図４は本実施の形態の静止画伝送装置の伝送路として無線伝送路を用いる場合の構成例を示すブロック図である。図４において、有線伝送路１７の他に無線伝送路４１を有している。この無線伝送路４１は無線インターフェース部４０に接続されている。インターフェース部１６と無線インターフェース部４０からの２本の経路を、スイッチ３２を介して切り換えるように構成されており、スイッチ３２は、ファイル処理部１３に接続されている。
【００２６】
本構成をとることにより、有線伝送路としても、また無線伝送路としても、本実施の形態の静止画伝送装置を、適宜切り換えながら利用することが可能となる。
【００２７】
図５は本実施の形態の静止画伝送装置の伝送用信号として赤外線を用いる場合の構成例を示すブロック図である。図５においては、インターフェース部として赤外インターフェ−ス部４２を使用する。この場合の伝送路４３用の信号媒体としては赤外線を利用するように構成される。
【００２８】
このように、静止画伝送装置１０のインターフェース部と伝送路以外の部分は全く変更せずに、容易に赤外線通信手段としても使用することが可能である。
図６は本実施の形態の静止画伝送装置の伝送路として光ファイバを用いる場合の構成例を示すブロック図である。図６においては、伝送路として光ファイバ６０を利用する。インターフェース部は図５と同様に赤外インターフェース部４２を利用する。
【００２９】
本構成により、赤外線が保有する指向性を回避し、有効なインターフェース手段を獲得することができる。また、既存の、例えばＲＳ２３２Ｃ等のシリアル伝送路も利用可能であるため、通信手段として、確実かつ低コストに実現できるという長所もある。
【００３０】
【発明の効果】
以上のように本発明によれば、伝送路を通じて接続されている送信元から送信先の機器へ画像ファイルを送信する場合には、それらの間で、送信先の機器が処理可能な画像ファイルのタイプを確認して送信することにより、画像送信ミスを回避することができる。
【００３１】
そのため、伝送路を通じて接続されている送信元と送信先の機器との間で、送信元から送信先の機器への画像送信に失敗することがなく優れた画像送信性能を得ることができるとともに、送信先の機器内で画像ファイルに対して確実に画像処理することができ、良好な画像送信特性を実現することができる。
【００３２】
以上の結果、静止画伝送装置の伝送路として、有線伝送路、無線伝送路、さらに無線伝送路として赤外線を利用するような形態においても、良好な画像送信が可能であり、異機種機器同士での画像ファイル転送も可能となるため、極めて有力な静止画伝送装置を提供することができる。
【図面の簡単な説明】
【図１】本発明の実施の形態の静止画伝送装置の一構成例を示すブロック図
【図２】従来の静止画伝送装置の構成例を示すブロック図
【図３】本発明の実施の形態の静止画伝送装置を送信元として送信先の機器との接続を示すブロック図
【図４】同実施の形態の静止画伝送装置の伝送路として無線伝送路を用いる場合の構成例を示すブロック図
【図５】同実施の形態の静止画伝送装置の伝送用信号として赤外線を用いる場合の構成例を示すブロック図
【図６】同実施の形態の静止画伝送装置の伝送路として光ファイバを用いる場合の構成例を示すブロック図
【符号の説明】
１０    静止画伝送装置
１１    ファイル蓄積部
１２    ファイルシステム
１３    ファイル処理部
１４    上位アプリ
１５    機器情報処理部
１６    インターフェース部
１７    （有線）伝送路
３２    スイッチ
４０    無線インターフェース部
４１    無線伝送路
４２    赤外線インターフェース部
４３    赤外線伝送路
６０    光ファイバ
７０    送信先の機器
【図１】
2004193693.tif 000003
【図２】
2004193693.tif 000004
【図３】
2004193693.tif 000005
【図４】
2004193693.tif 000006
【図５】
2004193693.tif 000007
【図６】
2004193693.tif 000008